(57)【要約】【課題】黄変しにくく、安価で、通気性がよく、涼感があり、軽量で、保形性にも優れた胸部用パッドを提供する。製造コストが低く、外観に優れるとともに、滑らかな表面及び裏面を有する衣類胸部の製造方法を提供する。【解決手段】芯体１と、芯体１の少なくとも表面または裏面の一部または全面を覆うメッシュ状不織布２またはメッシュ状編物とで構成される胸部用パッド。芯体１は、樹脂綿を材料とし、メッシュ状不織布２は、ポリエステルを材料とすることが好ましい。芯体１と、芯体１の少なくとも表面または裏面の一部または全面を覆うメッシュ状不織布２またはメッシュ状編物と、メッシュ状不織布２またはメッシュ状編物を覆う布部４、５とを接着用樹脂等を介して一体成形する衣類胸部の製造方法。【選択図】  図１
2004211212.tif 000002
【特許請求の範囲】
【請求項１】
芯体と、
該芯体の少なくとも表面または裏面の一部または全面を覆うメッシュ状不織布またはメッシュ状編物とで構成されることを特徴とする胸部用パッド。
【請求項２】
前記芯体は、樹脂綿を材料とすることを特徴とする請求項１記載の胸部用パッド。
【請求項３】
前記メッシュ状不織布またはメッシュ状編物は、ポリエステルまたはナイロンを材料とすることを特徴とする請求項１または２記載の胸部用パッド。
【請求項４】
前記芯体の内部にジェル状物質を封入したことを特徴とする請求項１、２または３記載の胸部用パッド。
【請求項５】
芯体と、該芯体の少なくとも表面または裏面の一部または全面を覆うメッシュ状不織布またはメッシュ状編物と、該メッシュ状不織布またはメッシュ状編物を覆う布部とを一体成形することを特徴とする衣類胸部の製造方法。
【請求項６】
前記芯体と、前記メッシュ状不織布またはメッシュ状編物と、前記布部とを接着用樹脂を介して一体成形することを特徴とする請求項５記載の衣類胸部の製造方法。
【発明の詳細な説明】
【０００１】
【発明の属する技術分野】
本発明は、胸部用パッド及び衣類胸部の製造方法に関し、特に、ブラジャー等の胸部を整容するとともに、涼感にも優れた胸部用パッドと、この胸部用パッド等を用いてブラジャー、水着等の衣類の胸部を製造する方法に関する。
【０００２】
【従来の技術】
従来、ブラジャー、水着等の衣類の胸部に用いられる胸部用パッドは、主に、エーテル系材料またはエステル系材料、例えば、ウレタンフォーム等の合成樹脂発泡体を加圧成形して製造されていた。
【０００３】
また、従来は、このようにして製造された胸部用パッドを用いてブラジャー等を製造する場合には、胸部用パッドを別の布でくるむことにより、ブラジャー等の一部として用いていた。
【０００４】
【発明が解決しようとする課題】
しかし、エーテル系材料を用いて製造した胸部用パッドは、黄変しやすく、エステル系材料を用いて製造した胸部用パッドは、黄変しにくいものの、高価であるという問題があった。また、両材料で製造された胸部用パッドは、ともに通気性が悪く、重量も大きく、特にブラジャー等の下着に使用した場合には、夏場における着用感が悪化するという問題があった。さらに、これらの材料を用いた胸部用パッドは、その一部を押圧した際の反発性に乏しく、元の形状に戻るまでに時間を要するという問題があった。
【０００５】
また、従来のブラジャー等衣類胸部の製造方法においては、胸部用パッド別の布でくるむことが必要であるため、製造コストが高く、外観に劣るとともに、表面及び裏面に段差が生ずる場合がある等、表面を滑らかに形成することが困難であるという問題もあった。
【０００６】
そこで、本発明は、上記従来の胸部用パッドにおける問題点に鑑みてなされたものであって、黄変しにくく、安価で、通気性がよく、涼感があり、軽量で、保形性にも優れた胸部用パッドを提供することを目的とする。また、本発明は、これに加え、製造コストが低く、外観に優れるとともに、滑らかな表面及び裏面を有する衣類胸部の製造方法を提供することを目的とする。
【０００７】
【課題を解決するための手段】
前記目的を達成するため、本発明は、胸部用パッドであって、芯体と、該芯体の少なくとも表面または裏面の一部または全面を覆うメッシュ状不織布またはメッシュ状編物とで構成されることを特徴とする。
【０００８】
そして、本発明によれば、胸部用パッドの少なくとも表面または裏面の一部または全面をメッシュ状不織布またはメッシュ状編物で形成したため、通気性が向上し、涼感のある胸部用パッドを提供することができる。メッシュ状不織布またはメッシュ状編物には市販品を用いることができるため、製造コストが上昇することなく、安価な胸部用パッドを提供することができる。
【０００９】
前記胸部用パッドの芯体には、樹脂綿を用いることができる。この樹脂綿は、一体となったものでもよく、２つの部分を組み合わせてもよい。
【００１０】
前記胸部用パッドにおいて、ポリエステルまたはナイロンを材料としたメッシュ状不織布を使用すると、特に軽量で安定した品質の胸部用パッドを提供することができる。
【００１１】
また、前記芯体の内部にジェル状物質を封入することもでき、これによって、肌へのフィット感等が向上する。
【００１２】
また、本発明は、衣類胸部の製造方法であって、芯体と、該芯体の少なくとも表面または裏面の一部または全面を覆うメッシュ状不織布またはメッシュ状編物と、該メッシュ状不織布またはメッシュ状編物を覆う布部とを一体成形することを特徴とする。
【００１３】
そして、本発明によれば、芯体と、メッシュ状不織布またはメッシュ状編物と、布部とを一体成形することにより、衣類胸部の製造工程が少なくなり、衣類胸部の製造コストを低減することができる。
【００１４】
前記芯体と、メッシュ状不織布またはメッシュ状編物と、布部とを接着用樹脂を介して一体成形することができる。これによって、外観に優れるとともに、滑らかな表面及び裏面を有する衣類胸部を提供することができる。
【００１５】
【発明の実施の形態】
次に、本発明にかかる胸部用パッド及び衣類胸部の製造方法の実施の形態の具体例を図面を参照しながら説明する。
【００１６】
図１は、本発明にかかる胸部用パッドの一実施例を示し、この胸部用パッドは、芯体１と、この芯体１を覆う表裏２枚のメッシュ状不織布２とで構成される。
【００１７】
芯体１は、弾力性及び保形性を維持するため、ポリエステル、ナイロン６６を含むナイロン等の樹脂綿で形成される。この芯体１は、表面１ａが凸状曲面部として形成され、裏面には、人体の胸部を下方から支持するための突出部１ｂが形成される。この芯体１は、全体を一つの樹脂綿で形成してもよく、また、例えば、突出部１ｂの部分と他の部分とを別個に作成して、２つの部分を組み合わせて形成してもよい。さらに、突出部１ｂにジェル状物質を封入すると、人間の肌に近い感覚が得られるため、よりフィット感等が向上する。尚、油性の物質を封入するのは、芯体１が損傷した場合等に外部に漏れるおそれがあるため好ましくない。
【００１８】
芯体１を覆うメッシュ状不織布２は、ポリエステル、ナイロン６６を含むナイロン等等を材料として水流落合または水流交絡製法等によって形成されたものであって、所望の形状、大きさに裁断され、接着剤３を塗布した後芯体１を覆い、その後加熱、加圧し、最後に周縁部を削り取って形成する。これによって、胸部用パッドが完成する。
【００１９】
尚、前記実施例においては、ポリエステル等を材料として水流落合または水流交絡製法等によって製造されたメッシュ状不織布を用いて胸部用パッドを形成したが、メッシュ状不織布の代わりに、比較的安価に製造されたメッシュ状編物を用いて胸部用パッドを形成することもできる。
【００２０】
メッシュ状編物には、ジャケット等の上着の背裏等に用いられる縦編によるメッシュ状編物、ジャンパーの襟等に用いられる横編によるメッシュ状編物、丸く編んだものを半切りして広幅に仕上げて下着等に用いたり、必要サイズの形のものを編んでストッキング等に用いられる丸編によるメッシュ状編物が存在するが、本発明にかかる胸部用パッドには、縦編及び丸編のものが好適である。
【００２１】
次に、本発明にかかる衣類胸部の製造方法の一実施例について図２を参照しながら説明する。尚、図２における芯体１及び接着剤３を塗布した表裏２枚のメッシュ状不織布２については、上述の実施例と同様のものを使用するため、同一の参照番号を付して詳細説明を省略する。尚、メッシュ状不織布を用いて胸部用パッドを形成したが、メッシュ状不織布２の代わりにメッシュ状編物を用いてもよいことも、上記実施例の場合と同様である。
【００２２】
本発明にかかる衣類胸部の製造方法では、衣類胸部の構成要素の一部であって、接着性樹脂を塗布した布部４、５によって、メッシュ状不織布２、３を覆い、芯体１乃至布部５を一度に接着成形する。これによって、従来のように、一旦胸部用パッドを製造した後、胸部用パッドとは別の布でくるむ工程が不要となり、製造工程を少なくし、衣類胸部の製造コストを低減することができる。尚、接着性樹脂には、ポリエステル系接着剤、ポリアミド系接着剤を使用することができる。
【００２３】
【発明の効果】
以上説明したように、本発明によれば、黄変しにくく、安価で、通気性がよく、涼感があり、軽量で、保形性にも優れた胸部用パッドを提供することができる。また、本発明によれば、製造コストが低く、外観に優れるとともに、滑らかな表面及び裏面を有する衣類胸部の製造方法を提供することができる。
【図面の簡単な説明】
【図１】本発明にかかる胸部用パッドの一実施例を示す分解斜視図である。
【図２】本発明にかかる衣類胸部の製造方法の一実施例を説明するための分解斜視図である。
【符号の説明】
１      芯体
１ａ    表面
１ｂ    突出部
２      メッシュ状不織布
３      接着剤
４      布部（表側）
５      布部（裏側）
【図１】
2004211212.tif 000003
【図２】
2004211212.tif 000004